【手続補正書】
【提出日】令和3年2月12日(2021.2.12)
【手続補正１】
【補正対象書類名】特許請求の範囲
【補正対象項目名】全文
【補正方法】変更
【補正の内容】
【特許請求の範囲】
【請求項１】
１個以上の置換基で置換されたポリ（ヒドロカルビルアミン）であって、当該置換基のうち少なくとも１個は、当該ポリ（ヒドロカルビルアミン）のアミン窒素上に置換された、式：−Ｒａy：
［式中、
Ｒａyは、１個以上の置換基（当該置換基のうちの少なくとも１個は、１個以上の置換基を有していてもよく、且つ１個以上の−Ｏ−部が挿入されていてもよいアルキル基、又は１個以上の置換基を有していてもよいアリール基である）を有していてもよいヒドロキシエチル基を表す。］
で表される置換基である、ポリ（ヒドロカルビルアミン）誘導体
を含有する、
撥液剤。
【請求項２】
前記ポリ（ヒドロカルビルアミン）誘導体が、
１個以上の置換基で置換されたポリエチレンイミンであって、当該置換基のうち少なくとも１個は、当該ポリエチレンイミンのアミン窒素上に置換された、
式：−Ｒａy：
［式中、
Ｒａyは、１個以上の置換基（当該置換基のうちの少なくとも１個は、１個以上の置換基を有していてもよく、且つ１個以上の−Ｏ−部が挿入されていてもよいアルキル基、又は１個以上の置換基を有していてもよいアリール基である）を有していてもよいヒドロキシエチル基を表す。］
で表される置換基である、ポリエチレンイミン誘導体
である、
請求項１に記載の撥液剤。
【請求項３】
前記ポリ（ヒドロカルビルアミン）誘導体が、直鎖状、分枝鎖状、又は環状、或いはこれらの組合せの構造を有する、請求項１又は２に記載の撥液剤。
【請求項４】
Ｒａyは、１個以上の置換基（当該置換基のうち少なくとも１個は、Ｒｆａである。Ｒｆａは、１個以上の置換基を有していてもよく、且つ１個以上の−Ｏ−部が挿入されていてもよいアルキル基、又は１個以上の置換基を有していてもよいアリール基である。）を有していてもよい２−ヒドロキシエチル基である、請求項１〜３のいずれか一項に記載の撥液剤。
【請求項５】
前記ポリ（ヒドロカルビルアミン）誘導体が、
式（Ｕ１）：
−鎖状炭化水素−Ｎ（−Ｒａy）−                              （Ｕ１）
［式中の記号は前記と同意義を表す。］
で表される構成単位を１個以上有するポリ（ヒドロカルビルアミン）誘導体である、
請求項１〜４のいずれか一項に記載の撥液剤。
【請求項６】
前記ポリ（ヒドロカルビルアミン）誘導体が、
ｎｅ個の末端基Ｅ、
ｎｐ個の構成単位Ｇｐ、
ｎｑｆ個の構成単位Ｇｑｆ、及び
ｎｒ個の構成単位Ｇｒを含み；
構成単位Ｇｐは、各出現において同一又は異なって、
式（Ｕｐ１）：
−ＣＨ２ＣＨ２−ＮＨ−                                        （Ｕｐ１）
で表される構成単位であり、
構成単位Ｇｑｆは、各出現において同一又は異なって、
式（Ｕｑ１）：
−ＣＨ２ＣＨ２−Ｎ（−Ｒｑｆｙ）−                            （Ｕｑ１）
［式中、
Ｒｑｆｙは、１個以上の置換基（当該置換基のうち少なくとも１個は、１個以上の置換基を有していてもよく、且つ１個以上の−Ｏ−部が挿入されていてもよいアルキル基、又は１個以上の置換基を有していてもよいアリール基である）を有していてもよいヒドロキシエチル基を表す。］
で表される構成単位であり、
構成単位Ｇｒは、各出現において同一又は異なって、
式（Ｕｒ１）：
−ＣＨ２ＣＨ２−Ｎ（−Ｒｏｔ）−                              （Ｕｒ１）
［式中、
Ｒｏｔは、Ｒｑｆｙとは異なる置換基を表す。］
で表される構成単位であり；
ｎｅは、０〜５００００の範囲内の整数であり、
ｎｐは、０〜５００００の範囲内の整数であり、
ｎｑｆは、０〜５００００の範囲内の整数であり、
ｎｒは、０〜５００００の範囲内の整数であり、
ｎｐ及びｎｑｆの合計は、１００以上の整数であり、
ｎｑｆ／（ｎｐ＋ｎｑｆ）の比は、０．０２〜１００％の範囲内であり、
前記構成単位Ｇｐ、Ｇｑｆ、及びＧｒの結合法は、それぞれ任意の型であり、且つ
前記構成単位Ｇｐ、Ｇｑｆ、及びＧｒは、主鎖を構成しない部分によって他の構成単位と連結していてもよい。］
で表される重合体である、
請求項１〜５のいずれかに記載の撥液剤。
【請求項７】
Ｒｑｆｙは、１個以上の置換基（当該置換基のうち少なくとも１個は、１個以上の置換基を有していてもよく、且つ１個以上の−Ｏ−部が挿入されていてもよいフルオロアルキル基又は１個以上の置換基を有していてもよく、且つ１個以上の−Ｏ−部が挿入されていてもよいアルキル基）を有していてもよいヒドロキシエチル基である請求項６に記載の撥液剤。
【請求項８】
表面処理用である、請求項１〜７のいずれか一項に記載の撥液剤。
【請求項９】
物品表面への撥液性の付与用である、請求項１〜８のいずれか一項に記載の撥液剤。
【請求項１０】
請求項１〜９のいずれか一項に記載の撥液剤を含有する、撥液膜。
【請求項１１】
請求項１０に記載の撥液膜の製造方法であって、
１）物品表面上に、ポリ（ヒドロカルビルアミン）を含有する液体を塗工する工程、及び２）更にその上に、１個以上の置換基（当該置換基のうちの少なくとも１個は、１個以上の置換基を有していてもよく、且つ１個以上の−Ｏ−部が挿入されていてもよいアルキル基、又は１個以上の置換基を有していてもよいアリール基である）を有していてもよいオキシランを含有する液体を塗工し、及びこれらの少なくとも一部を反応させることにより、請求項１０に記載の撥液膜を形成させる工程
を含む製造方法。
【請求項１２】
請求項１０に記載の撥液膜の製造方法であって、
ポリ（ヒドロカルビルアミン）、及び
１個以上の置換基（当該置換基のうちの少なくとも１個は、１個以上の置換基を有していてもよく、且つ１個以上の−Ｏ−部が挿入されていてもよいアルキル基、又は１個以上の置換基を有していてもよいアリール基である）を有していてもよいオキシラン
を含有する液体を
物品表面上に塗工し、及びこれらの少なくとも一部を反応させることにより、請求項１０に記載の撥液膜を形成させることを含む製造方法。
【請求項１３】
請求項１０に記載の撥液膜を備える物品。
【請求項１４】
請求項１０に記載の撥液膜を備える物品の製造方法であって、
ポリ（ヒドロカルビルアミン）、及び
１個以上の置換基（当該置換基のうちの少なくとも１個は、１個以上の置換基を有していてもよいアルキル基である）を有していてもよいオキシラン
を含有する液体を
物品表面上に塗工し、及びこれらの少なくとも一部を反応させることにより、請求項１０に記載の撥液膜を形成させることを含む製造方法。
【請求項１５】
１個以上の置換基で置換されたポリエチレンイミンであって、
当該置換基のうち少なくとも１個は、当該ポリエチレンイミンのアミン窒素上に置換された、
式：−Ｃ２Ｒ４ＯＨ
［式中、
Ｒは、各出現において、同一又は異なって、水素原子、又は置換基を表す。
但し、４個のＲのうちの少なくとも１個は、
（１）１個以上の置換基を有していてもよく、且つ１個以上の−Ｏ−部が挿入されていてもよいフルオロアルキル基、
（２）１個以上の置換基を有していてもよく、且つ１個以上の−Ｏ−部が挿入されていてもよいアルキル基、又は
（３）１個以上の置換基を有していてもよいフルオロアリール基である。］
で表される置換基
である、ポリエチレンイミン誘導体。
【請求項１６】
請求項１５に記載のポリエチレンイミン誘導体を含有する撥液剤。
【請求項１７】
１）ポリエチレンイミン；及び
２）１個以上の置換基（当該置換基のうちの少なくとも１個は、１個以上の置換基を有していてもよく、且つ１個以上の−Ｏ−部が挿入されていてもよいアルキル基、又は１個以上の置換基を有していてもよいアリール基である）を有していてもよいオキシランを含有する
を含む撥液剤キット。
【手続補正２】
【補正対象書類名】明細書
【補正対象項目名】０００６
【補正方法】変更
【補正の内容】
【０００６】
本発明は、次の態様を含む。
項１．
１個以上の置換基で置換されたポリ（ヒドロカルビルアミン）であって、当該置換基のうち少なくとも１個は、当該ポリ（ヒドロカルビルアミン）のアミン窒素上に置換された、
式：−Ｒａy：
［式中、
Ｒａyは、１個以上の置換基（当該置換基のうちの少なくとも１個は、１個以上の置換基を有していてもよく、且つ１個以上の−Ｏ−部が挿入されていてもよいアルキル基、又は１個以上の置換基を有していてもよいアリール基である）を有していてもよいヒドロキシエチル基を表す。］
で表される置換基である、ポリ（ヒドロカルビルアミン）誘導体
を含有する、
撥液剤。
項２．
前記ポリ（ヒドロカルビルアミン）誘導体が、
１個以上の置換基で置換されたポリエチレンイミンであって、当該置換基のうち少なくとも１個は、当該ポリエチレンイミンのアミン窒素上に置換された、
式：−Ｒａy：
［式中、
Ｒａyは、１個以上の置換基（当該置換基のうちの少なくとも１個は、１個以上の置換基を有していてもよく、且つ１個以上の−Ｏ−部が挿入されていてもよいアルキル基、又は１個以上の置換基を有していてもよいアリール基である）を有していてもよいヒドロキシエチル基を表す。］
で表される置換基である、ポリエチレンイミン誘導体
である、
項１に記載の撥液剤。
項３．
前記ポリ（ヒドロカルビルアミン）誘導体が、分枝鎖状、又は環状、或いはこれらの組合せの構造を有する、項１又は２に記載の撥液剤。
項４．
Ｒａyは、１個以上の置換基（当該置換基のうち少なくとも１個は、Ｒｆａである。Ｒｆａは、１個以上の置換基を有していてもよく、且つ１個以上の−Ｏ−部が挿入されていてもよいアルキル基、又は１個以上の置換基を有していてもよいアリール基である。）を有していてもよい２−ヒドロキシエチル基である、項１〜３のいずれか一項に記載の撥液剤。
項５．
前記ポリ（ヒドロカルビルアミン）誘導体が、
式（Ｕ１）：
−鎖状炭化水素−Ｎ（−Ｒａy）−                              （Ｕ１）
［式中の記号は前記と同意義を表す。］
で表される構成単位を１個以上有するポリ（ヒドロカルビルアミン）誘導体である、
項１〜４のいずれか一項に記載の撥液剤。
項６．
前記ポリ（ヒドロカルビルアミン）誘導体が、
ｎｅ個の末端基Ｅ、
ｎｐ個の構成単位Ｇｐ、
ｎｑｆ個の構成単位Ｇｑｆ、及び
ｎｒ個の構成単位Ｇｒを含み；
構成単位Ｇｐは、各出現において同一又は異なって、
式（Ｕｐ１）：
−ＣＨ２ＣＨ２−ＮＨ−                                       （Ｕｐ１）
で表される構成単位であり、
構成単位Ｇｑｆは、各出現において同一又は異なって、
式（Ｕｑ１）：
−ＣＨ２ＣＨ２−Ｎ（−Ｒｑｆｙ）−                            （Ｕｑ１）
［式中、
Ｒｑｆｙは、１個以上の置換基（当該置換基のうち少なくとも１個は、１個以上の置換基を有していてもよく、且つ１個以上の−Ｏ−部が挿入されていてもよいアルキル基、又は１個以上の置換基を有していてもよいアリール基である）を有していてもよいヒドロキシエチル基を表す。］
で表される構成単位であり、
構成単位Ｇｒは、各出現において同一又は異なって、
式（Ｕｒ１）：
−ＣＨ２ＣＨ２−Ｎ（−Ｒｏｔ）−                              （Ｕｒ１）
［式中、
Ｒｏｔは、Ｒｑｆｙとは異なる置換基を表す。］
で表される構成単位であり；
ｎｅは、０〜５００００の範囲内の整数であり、
ｎｐは、０〜５００００の範囲内の整数であり、
ｎｑｆは、０〜５００００の範囲内の整数であり、
ｎｒは、０〜５００００の範囲内の整数であり、
ｎｐ及びｎｑｆの合計は、１００以上の整数であり、
ｎｑｆ／（ｎｐ＋ｎｑｆ）の比は、０．０２〜１００％の範囲内であり、
前記構成単位Ｇｐ、Ｇｑｆ、及びＧｒの結合法は、それぞれ任意の型であり、且つ
前記構成単位Ｇｐ、Ｇｑｆ、及びＧｒは、主鎖を構成しない部分によって他の構成単位と連結していてもよい。］
で表される重合体である、
項１〜５のいずれかに記載の撥液剤。
項７．
Ｒｑｆｙは、１個以上の置換基（当該置換基のうち少なくとも１個は、１個以上の置換基を有していてもよく、且つ１個以上の−Ｏ−部が挿入されていてもよいフルオロアルキル基である）を有していてもよいヒドロキシエチル基である項６に記載の撥液剤。
項８．
表面処理用である、項１〜７のいずれか一項に記載の撥液剤。
項９．
物品表面への撥液性の付与用である、項１〜８のいずれか一項に記載の撥液剤。
項１０．
項１〜９のいずれか一項に記載の撥液剤を含有する、撥液膜。
項１１．
項１０に記載の撥液膜の製造方法であって、
１）物品表面上に、ポリ（ヒドロカルビルアミン）を含有する液体を塗工する工程、及び
２）更にその上に、１個以上の置換基（当該置換基のうちの少なくとも１個は、１個以上の置換基を有していてもよく、且つ１個以上の−Ｏ−部が挿入されていてもよいアルキル基、又は１個以上の置換基を有していてもよいアリール基である）を有していてもよいオキシランを含有する液体を塗工し、及びこれらの少なくとも一部を反応させることにより、項１０に記載の撥液膜を形成させる工程
を含む製造方法。
項１２．
項１０に記載の撥液膜の製造方法であって、
ポリ（ヒドロカルビルアミン）、及び
１個以上の置換基（当該置換基のうちの少なくとも１個は、１個以上の置換基を有していてもよく、且つ１個以上の−Ｏ−部が挿入されていてもよいアルキル基、又は１個以上の置換基を有していてもよいアリール基である）を有していてもよいオキシラン
を含有する液体を
物品表面上に塗工し、及びこれらの少なくとも一部を反応させることにより、項１０に記載の撥液膜を形成させることを含む製造方法。
項１３．
項１０に記載の撥液膜を備える物品。
項１４．
項１０に記載の撥液膜を備える物品の製造方法であって、
ポリ（ヒドロカルビルアミン）、及び
１個以上の置換基（当該置換基のうちの少なくとも１個は、１個以上の置換基を有していてもよいアルキル基である）を有していてもよいオキシラン
を含有する液体を
物品表面上に塗工し、及びこれらの少なくとも一部を反応させることにより、項１０に記載の撥液膜を形成させることを含む製造方法。
項１５．
１個以上の置換基で置換されたポリエチレンイミンであって、当該置換基のうち少なくとも１個は、当該ポリエチレンイミンのアミン窒素上に置換された、
式：−Ｃ２Ｒ４ＯＨ
［式中、
Ｒは、各出現において、同一又は異なって、水素原子、又は置換基を表す。
但し、４個のＲのうちの少なくとも１個は、
（１）１個以上の置換基を有していてもよく、且つ１個以上の−Ｏ−部が挿入されていてもよいフルオロアルキル基、
（２）１個以上の置換基を有していてもよく、且つ１個以上の−Ｏ−部が挿入されていてもよいアルキル基、又は
（３）１個以上の置換基を有していてもよいフルオロアリール基である。］
で表される置換基である、ポリエチレンイミン誘導体。
項１６．
項１５に記載のポリエチレンイミン誘導体を含有する撥液剤。
項１７．
１）ポリエチレンイミン；及び
２）１個以上の置換基（当該置換基のうちの少なくとも１個は、１個以上の置換基を有していてもよく、且つ１個以上の−Ｏ−部が挿入されていてもよいアルキル基、又は１個以上の置換基を有していてもよいアリール基である）を有していてもよいオキシランを含有する
を含む撥液剤キット。
【手続補正３】
【補正対象書類名】明細書
【補正対象項目名】００３５
【補正方法】変更
【補正の内容】
【００３５】
当業者が通常理解する通り、接尾語「パーハロゲノ」は全ての水素原子がハロ基に置換されていることを意味する。
当業者が通常理解する通り、接尾語「パーフルオロ」は全ての水素原子がフルオロ基に置換されていることを意味する。
【手続補正４】
【補正対象書類名】明細書
【補正対象項目名】００６６
【補正方法】変更
【補正の内容】
【００６６】
当該ポリエチレンイミン誘導体の好適な例は、
１個以上の置換基で置換されたポリエチレンイミンであって、当該置換基のうち少なくとも１個は、当該ポリエチレンイミンのアミン窒素上に置換された、
式：−Ｃ２Ｒ４ＯＨ
［式中、
Ｒは、各出現において、同一又は異なって、水素原子、又は置換基を表す。
但し、４個のＲのうちの少なくとも１個は、
（１）１個以上の置換基を有していてもよく、且つ１個以上の−Ｏ−部が挿入されていてもよいフルオロアルキル基、
（２）１個以上の置換基を有していてもよく、且つ１個以上の−Ｏ−部が挿入されていてもよいアルキル基、又は
（３）１個以上の置換基を有していてもよいフルオロアリール基
である。］
で表される置換基である、ポリエチレンイミン誘導体
を包含する。
【手続補正５】
【補正対象書類名】明細書
【補正対象項目名】００９１
【補正方法】変更
【補正の内容】
【００９１】
構成単位Ｇｑｆは、各出現において同一又は異なって、
式（Ｕｑ１）：
−ＣＨ２ＣＨ２−Ｎ（−Ｒｑｆｙ）−                          （Ｕｑ１）
［式中、
Ｒｑｆｙは、１個以上の置換基（当該置換基のうち少なくとも１個は、１個以上の置換基を有していてもよく、且つ１個以上の−Ｏ−部が挿入されていてもよいアルキル基、又は１個以上の置換基を有していてもよいアリール基である）を有していてもよいヒドロキシエチル基を表す。］
で表される構成単位である。
好ましくは、Ｒｑｆｙは、１個以上の置換基
［当該置換基のうち少なくとも１個は、
（１）１個以上の置換基を有していてもよく、且つ１個以上の−Ｏ−部が挿入されていてもよいフルオロアルキル基、
（２）１個以上の置換基を有していてもよく、且つ１個以上の−Ｏ−部が挿入されていてもよいアルキル基、又は
（３）１個以上の置換基を有していてもよいフルオロアリール基である。］
を、有していてもよいヒドロキシエチル基
である。
より好ましくは、Ｒｑｆｙは、１個以上の置換基（当該置換基のうち少なくとも１個は、パーフルオロアルキル基である）を有していてもよいヒドロキシエチル基である。
【手続補正６】
【補正対象書類名】明細書
【補正対象項目名】０１４４
【補正方法】変更
【補正の内容】
【０１４４】
８．ポリエチレンイミン誘導体
本発明の撥液剤が含有するポリエチレンイミン誘導体のうち、
１個以上の置換基で置換されたポリエチレンイミンであって、当該置換基のうち少なくとも１個は、当該ポリエチレンイミンのアミン窒素上に置換された、
式：−Ｒｆｙ
［式中、
Ｒｆｙは、
１個以上の置換基
（当該置換基のうちの少なくとも１個は、
（１）１個以上の置換基を有していてもよく、且つ１個以上の−Ｏ−部が挿入されていてもよいフルオロアルキル基、
（２）１個以上の置換基を有していてもよく、且つ１個以上の−Ｏ−部が挿入されていてもよいアルキル基、又は
（３）１個以上の置換基を有していてもよいフルオロアリール基である）
を有していてもよいヒドロキシエチル基を表す。］
で表される置換基である、ポリエチレンイミン誘導体
は、新規化合物である。
本発明は、当該新規化合物もまた提供する。